(57)【要約】【課題】ピットの内壁とパイプとの間に僅かな隙間があればパイプクランプを行うことができるパイプクランプを提供する。【解決手段】パイプの片側を抱持する２個の半円凹状のクランプ部材を複数の連結杆で定間隔下に対向配置させた第１パイプクランパ１と、パイプの反対側を抱持する同様の第２パイプクランパ２とを備える。これらの第１パイプクランパ１と第２パイプクランパ２間の片側は連結するフック６で連結される。またその反対側にはパイプの軸線方向に起伏可能なボルト５及び締付ナット１０からなる締結手段が設けられ、パイプをクランプする。【選択図】図１
0003181057.tif 000002
【実用新案登録請求の範囲】
【請求項１】
パイプの片側を抱持する２個の半円凹状のクランプ部材を複数の連結杆で定間隔下に対向配置させた第１パイプクランパと、パイプの反対側を抱持する２個の半円凸状のクランプ部材を複数の連結杆で定間隔下に対向配置させた第２パイプクランパと、これらの第１パイプクランパと第２パイプクランパ間を片側で連結するフックと、このフックの反対側に設けられ、パイプの軸線方向に起伏可能なボルト及び締付ナットからなり、第１パイプクランパと第２パイプクランパ間でパイプをクランプする締結手段とを備えたことを特徴とするパイプクランプ。
【請求項２】
第１パイプクランパと第２パイプクランパはボルトを起伏させるための凹溝を備え、これらの凹溝は手前側から上面視したとき、右側に開口するものであることを特徴とする請求項１記載のパイプクランプ。
【考案の詳細な説明】
【技術分野】
【０００１】
本考案は、例えばポリエチレンパイプとポリエチレン管継手とを熱溶着する際に、パイプを所定位置に保持するために用いられるパイプクランプに関するものである。
【背景技術】
【０００２】
従来、パイプクランプとしては、支持シャフトの一端に第１パイプクランパを開閉自在に固定するとともに、支持シャフトに位置調節自在に第２パイプクランパを取り付けたものがある（例えば、特許文献１参照）。
【０００３】
しかし、各パイプクランパのクランプ部材を開閉中心軸の付近に設けた押しネジの機構で開閉するため、機構が複雑で機構の組み付けスペースが大きくなり、クランプするパイプ径の２倍ほどの突出量を有する外形状となる。配管作業は地面にピットを掘削してその内部で行われることが多いため、ピットの内部空間がパイプ径の２倍以上ないとクランプ作業ができないという問題があった。
【先行技術文献】
【特許文献】
【０００４】
【特許文献１】特開平８−１９７４３５号公報
【考案の概要】
【考案が解決しようとする課題】
【０００５】
本考案の目的は上記した従来の問題点を解決し、ピットの内壁とパイプとの間に僅かな隙間があればパイプクランプを行うことができるパイプクランプを提供することである。
【課題を解決するための手段】
【０００６】
上記の課題を解決するためになされた本考案は、パイプの片側を抱持する２個の半円凹状のクランプ部材を複数の連結杆で定間隔下に対向配置させた第１パイプクランパと、パイプの反対側を抱持する２個の半円凸状のクランプ部材を複数の連結杆で定間隔下に対向配置させた第２パイプクランパと、これらの第１パイプクランパと第２パイプクランパ間を片側で連結するフックと、このフックの反対側に設けられ、パイプの軸線方向に起伏可能なボルト及び締付ナットからなり、第１パイプクランパと第２パイプクランパ間でパイプをクランプする締結手段とを備えたことを特徴とするものである。なお、第１パイプクランパと第２パイプクランパはボルトを起伏させるための凹溝を備え、これらの凹溝は手前側から上面視したとき、右側に開口するものであることが好ましい。
【考案の効果】
【０００７】
本考案のパイプクランプは、第１パイプクランパと第２パイプクランパ間の片側をフックで連結するとともに、フックの反対側にパイプの軸線方向に起伏可能なボルト及び締付ナットからなり、第１パイプクランパと第２パイプクランパ間でパイプをクランプする締結手段を設けたので、従来品に比較してパイプの軸線に対して直角方向への突出距離が短くなり、ピットの内壁とパイプとの間に僅かな隙間があればパイプクランプを行うことができる。
【０００８】
さらに、第１パイプクランパと第２パイプクランパはボルトを起伏させるための凹溝を備え、これらの凹溝は手前側から上面視したとき、右側に開口するものとすれば、締付ナットの締付力が凹溝の奥側に向かうこととなるので、ボルトが凹溝から不用意に抜け出ることがない。
【図面の簡単な説明】
【０００９】
【図１】本考案の実施形態を示す斜視図である。
【図２】本考案の実施形態を示す正面図である。
【図３】本考案の実施形態を示す側面図である。
【図４】本考案の実施形態を示す平面図である。
【図５】本考案の実施形態の要部を示す斜視図である。
【図６】本考案の実施形態にライナを装着した状態を示す斜視図である。
【図７】ライナの斜視図である。
【考案を実施するための形態】
【００１０】
以下に図面を参照しつつ、本考案の好ましい実施形態を説明する。
本考案のパイプクランプは、図１に示すように、各パイプの片側を抱持する２個の半円凹状のクランプ部材１ａを複数の連結杆１ｂで定間隔下に対向配置させた第１パイプクランパ１と、各パイプの反対側を抱持する２個の半円凸状のクランプ部材２ａを複数の連結杆２ｂで定間隔下に対向配置させた第２パイプクランパ２とを備えている。
【００１１】
第１パイプクランパ１と第２パイプクランパ２とは分離可能であるが、使用時にはフック６とボルト５とによって連結される。フック６はクランプ部材２ａの端部にピン６ａによって枢着されている。またクランプ部材１ａの対向する端部には、フック６を係止するピン３が設けられている。このためフック６をピン３に係止すれば、第１パイプクランパ１と第２パイプクランパ２との片側を、開閉可能に連結することができる。
【００１２】
クランプ部材１ａのフック６と反対側には、第１パイプクランパ１と第２パイプクランパ２間でパイプをクランプする締結手段が設けられている。その構造は次の通りである。すなわち、パイプの軸線方向に開口する凹溝４が形成され、ボルト５の一端（下端）が軸５ａによって起伏自在に枢着されている。またクランプ部材２ａの端部にはこのボルト５を受けるための凹溝８が同一方向に形成されている。ボルト５の他端（上端）には筒状の締付ナット１０が取り付けられている。この締付ナット１０はスライドハンドル１０ａを備えたものであり、図１、図２のようにボルト５を凹溝８に挿入した状態で締付ナット１０を締め付ければ、締付ナット１０の端面がクランプ部材２ａのナット受座７に当接し、第１パイプクランパ１に対して第２パイプクランパ２を締め付けることができる。
【００１３】
上記したように、凹溝４と凹溝８はともにパイプの軸線方向に開口しており、図３、図４に示すように２個のクランプ部材１ａ、２ａとも同一方向である。このためボルト５は同一方向に起伏されることとなる。このようにボルト５をパイプの軸線方向に起伏させる構造としたので、従来のように周囲に広いスペースは不要であり、ピットの内壁とパイプとの間に僅かな隙間があればパイプクランプを行うことができる。
【００１４】
なお、締付ナット１０の締付は、スライドハンドル１０ａを時計回りに回転させて行われる。このとき、パイプや第１パイプクランパ１と第２パイプクランパ２のたわみにより、図５の座金９のＹ側斜線部がＸ側斜線部より低くなり、座金９のＸ側斜線部のみが締付ナット１０と接触し、摩擦によりボルト５が凹溝４、８の奥側に向かうこととなるため、ボルト５が凹溝４，８から不用意に抜け出ることがない。尚、左側に開口を設ける場合は、図５の座金９のＸ側斜線部よりＹ側斜線部が高くなるようにし、座金9のＹ側斜線部のみが締付ナット１０と接触するようにすれば、ボルトが凹溝から不用意に抜け出ることがない。
【００１５】
９は第２パイプクランパ２の凹溝８上端に取付けられる座金、１１はクランプするパイプの直径が標準の２５０ｍｍより小径の１８０ｍｍの際に用いるライナである。ライナ１１は図７に示すように、中央部に雌ねじ１１ａが形成されており、図６に示すように、蝶ボルト１２により第１パイプクランパ１と第２パイプクランパ２に装着されるもので、第１パイプクランパ１に装着する場合は上下を反転させる。
【００１６】
このように構成された本考案のパイプクランプを使用する際には、まず各パイプの下半部に第１パイプクランパ１のクランプ部材１ａをあてがったうえ、各パイプの上半部に第２パイプクランパ２のクランプ部材２ａをあてがう。その後、第２パイプクランパ２に枢着されているフック６を第１パイプクランパ１のピン３に係止する。
【００１７】
次に、ボルト５を凹溝８に挿入したうえ締付ナット１０を締め付ければ、第１パイプクランパ１と第２パイプクランパ２とが連結されるとともに、パイプをクランプ部材１ａとクランプ部材２ａとによって強固にクランプすることができる。
【００１８】
このように、本考案のパイプクランプは、ボルト５をパイプの軸線方向に起伏させる構造としたので、ピットの内壁とパイプとの間に僅かな隙間があればパイプクランプを行うことができる。また、ボルト５を起伏させるための凹溝４，８を手前側から上面視したとき、右側に開口させたことにより、締付時にボルト５が凹溝４、８から外れることもない。
【符号の説明】
【００１９】
１  第１パイプクランパ
1a  クランプ部材
1b  連結杆
２  第２パイプクランパ
2a  クランプ部材
2b  連結杆
３  ピン
４  凹溝
５  ボルト
６  フック
6a  ピン
７  ナット受座
８  凹溝
９  座金
10  締付ナット
10a  スライドハンドル
11  ライナ
11a  雌ねじ
12  蝶ボルト
【図１】
0003181057.tif 000003
【図２】
0003181057.tif 000004
【図３】
0003181057.tif 000005
【図４】
0003181057.tif 000006
【図５】
0003181057.tif 000007
【図６】
0003181057.tif 000008
【図７】
0003181057.tif 000009